(57)【特許請求の範囲】
【請求項１】
携帯電話機能と、カメラ機能と、前記携帯電話機能にてメールや電話をかける相手を特定するための複数の項目からなる個人情報を電話帳データとして登録する電話帳機能を有するカメラ付き携帯端末装置において、
前記カメラ機能により撮影された画像情報から前記個人情報に関連する文字情報を抽出する画像データ認識手段と、
前記画像データ認識手段で抽出された文字情報により前記電話帳に登録されている電話帳データを検索して前記個人情報が登録されているか否かを判定し、登録されているときには前記電話帳内の該当電話帳データと前記抽出した文字情報とを比較してその差分を識別可能に表示し、登録されていなければ前記抽出された文字情報をそのまま表示する重複データ判定手段と、
前記重複データ判定手段により表示された文字情報の前記電話帳への利用者による登録指示を受けて、前記個人情報が、前記電話帳データに登録されている場合には、前記差分識別表示された文字情報により前記電話帳に登録されている前記重複データを上書きし、前記個人情報が、前記電話帳データに登録されていない場合には、前記抽出された文字情報の全てを前記電話帳へ新規登録する電話帳登録手段と、
を備えていることを特徴とするカメラ付き携帯端末装置。
【請求項２】
前記複数の項目には、氏名、住所、電話番号、メールアドレス、ＵＲＬが含まれていることを特徴とする請求項１に記載のカメラ付き携帯端末装置。
【請求項３】
前記重複データ判定手段は、前記電話帳に登録されている電話帳データ中の「氏名」項目と前記抽出された文字情報中の「氏名」項目を比較し、両者が一致しているときに一致判定を出力する第１の比較判定手段と、該第１の比較判定手段により一致判定された前記電話帳データ中の前記「氏名」項目以外の項目と前記抽出された文字情報中の前記「氏名」項目以外の項目を比較し、一致している項目が存在するときに前記抽出された文字情報は、前記電話帳データとして既登録の個人情報であると判定する第２の比較判定手段を備えていることを特徴とする請求項１または２に記載のカメラ付き携帯端末装置。
【請求項４】
携帯電話機能と、カメラ機能と、前記携帯電話機能にてメールや電話をかける相手を特定するための複数の項目からなる個人情報を電話帳データとして登録する電話帳機能を有するカメラ付き携帯端末装置が内蔵するコンピュータ（ＣＰＵ）に、
前記カメラ機能により撮影した画像情報から前記個人情報に関連する文字情報を抽出する処理と、
該抽出した文字情報により前記電話帳に登録されている電話帳データを検索して前記個人情報が登録されているか否かを判定する処理と、
前記個人情報が登録されていると判定されたとき前記電話帳内の該当電話帳データと前記抽出した文字情報とを比較してその差分を識別可能に表示する処理と、
前記個人情報が登録されていないと判定されたとき前記抽出した文字情報をそのまま表示する処理と、
前記電話帳内の該当電話帳データと前記抽出した文字情報との差分が識別可能に表示しているときに前記電話帳への利用者による登録指示を受けたときに、前記個人情報が、前記電話帳データに登録されている場合には、前記差分識別表示された文字情報により前記電話帳に登録されている該当電話帳データを上書きする処理と、
前記個人情報が、前記電話帳データに登録されていない場合には、前記抽出した文字情報をそのまま表示しているときに前記電話帳への登録指示を受けたとき前記抽出した文字情報を前記電話帳に新規登録する処理と、
を実行させるためのプログラム。
【請求項５】
前記抽出した文字情報により前記電話帳に登録されている電話帳データを検索して前記個人情報が登録されているか否かを判定する処理は、前記電話帳に登録されている電話帳データ中の「氏名」項目と前記抽出された文字情報中の「氏名」項目を比較し、両者が一致しているときに一致判定を出力する第１の比較判定処理と、該第１の比較判定処理により一致判定された前記電話帳データ中の前記「氏名」項目以外の項目と前記抽出された文字情報中の前記「氏名」項目以外の項目を比較し、一致している項目が存在するときに前記抽出された文字情報は、前記電話帳データとして既登録の個人情報であると判定する第２の比較判定処理を含んでいることを特徴とする請求項４に記載のプログラム。
【請求項６】
前記第２の比較判定処理で比較される前記「氏名」項目以外の項目には、住所、電話番号、メールアドレス、ＵＲＬが含まれていることを特徴とする請求項５に記載のプログラム。
【発明の詳細な説明】
【技術分野】
【０００１】
本発明は、携帯電話機、ＰＨＳ、ＰＤＡ（Personal Data Assistance， Personal Digital Assistants：個人向け携帯型情報通信機器）等の携帯端末装置であってカメラ撮影が可能、かつ、名刺、電話帳などの個人情報を管理する機能を有する装置に関する。
【背景技術】
【０００２】
近年、携帯電話機などの携帯情報端末に搭載されたカメラによって、電話番号、メールアドレス、ＵＲＬなどの情報を直接撮影し、画像処理を行ってデータとして抽出することにより、携帯電話機内の電話帳等のデータベースに登録する方法が提案されている（特許文献１〜３等参照）。また、名刺や葉書にＱＲコード／バーコードを印字しておき、そのＱＲコード／バーコードを携帯電話装置のカメラで読み込ませ、携帯電話装置内の電話帳に登録させるものもある。
【０００３】
【特許文献１】特開２００２−３６６４６３号公報
【特許文献２】特開２００４−０８０４４２号公報
【特許文献３】特開２００５−０５５９９１号公報
【発明の開示】
【発明が解決しようとする課題】
【０００４】
上記従来技術において、例えば、会社の電話番号、所在地のみの変更／個人の名前、電話番号を除く全ての情報が更新された場合など、一部の情報の更新に対しても、携帯電話機に登録する際は、一括して情報を登録するため、常に新規の電話帳登録となり、個人名が同一の情報が複数登録されることになってしまうという問題がある。
【０００５】
また、携帯電話機内の電話帳を更新する際、登録情報毎に名刺／葉書の表書きの名前、住所、電話番号等の個々の情報をカメラで撮影し、電話帳に登録する方法もあるが、更新する情報毎にカメラを起動し、限られた範囲の情報のみを撮影する必要があり、携帯電話機の利用者の操作回数増加による負担や、更新する情報毎にカメラを起動することによる、携帯電話機の電池の消費が増えることによる使用可能時間が短縮されてしまうなどの問題があった。
【０００６】
本発明の目的は、上記問題点に鑑み、携帯電話機のカメラ機能より撮影した画像情報から住所・氏名・電話番号・メールアドレス・ＵＲＬ等の文字情報を一括抽出して電話帳アドレスに登録する方法において、同一の情報が複数登録されないようにする手段を提供することにある。
【課題を解決するための手段】
【０００７】
本発明のカメラ付き携帯端末装置は、カメラ機能と前記携帯電話にてメールや電話をかける際に利用する個人情報を記録する電話帳機能を有し、前記携帯電話機のカメラ機能より名刺全体や葉書の表書き全体／差出人全体を撮影した画像情報から住所・氏名・電話番号・メールアドレス・ＵＲＬの文字情報を抽出する仕組みと、前記撮影画像から文字情報を抽出する仕組みにより抽出した文字情報から電話帳を検索し、既に登録されているデータ／新規登録データかの判断を行い、前記電話帳に登録済みのデータであれば、既に登録されている内容と、撮影画像から文字情報を抽出する仕組みにより抽出した情報とを比較し、その差分の表示と前記差分情報のみを前記電話帳に登録する仕組みを有していることを特徴としている。
【０００８】
具体的には、本発明は、携帯電話機能とカメラ機能と前記携帯電話機能にてメールや電話をかける際に利用する相手の氏名・住所・電話番号・メールアドレス・ＵＲＬ等の項目からなる個人情報を電話帳データとして登録する電話帳機能を有するカメラ付き携帯端末装置において、前記カメラ機能により撮影された画像情報から前記個人情報に関連する文字情報を抽出する画像データ認識手段と、前記画像データ認識手段で抽出された文字情報により前記電話帳に登録されている電話帳データを検索して前記個人情報が登録されているか否かを判定し、登録されているときには前記電話帳内の該当電話帳データと前記抽出した文字情報とを比較してその差分を識別可能に表示し、登録されていなければ前記抽出された文字情報をそのまま表示する重複データ判定手段と、前記重複データ判定手段により表示された文字情報の前記電話帳への利用者による登録指示を受けて、前記個人情報が、前記電話帳データに登録されている場合には、前記差分識別表示された文字情報により前記電話帳に登録されている前記重複データを上書きし、前記個人情報が、前記電話帳データに登録されていない場合には、前記抽出された文字情報の全てを前記電話帳へ新規登録する電話帳登録手段と、を備えていることを特徴とする。
【０００９】
また、前記重複データ判定手段は、前記電話帳に登録されている電話帳データ中の「氏名」項目と前記抽出された文字情報中の「氏名」項目を比較し、両者が一致しているときに一致判定を出力する第１の比較判定手段と、該第１の比較判定手段により一致判定された前記電話帳データ中の前記「氏名」項目以外の項目と前記抽出された文字情報中の前記「氏名」項目以外の項目を比較し、一致している項目が存在するときに前記抽出された文字情報は、前記電話帳データとして既登録の個人情報であると判定する第２の比較判定手段を備えた構成として実現できる。
【００１０】
また本発明の携帯電話機能とカメラ機能と前記携帯電話機能にてメールや電話をかける際に利用する相手の氏名・住所・電話番号・メールアドレス・ＵＲＬ等のデータ項目を個人情報として記録する電話帳機能を有するカメラ付き携帯端末装置が内蔵するコンピュータ（ＣＰＵ）に実行させるためのプログラムは、前記カメラ機能により撮影した画像情報から前記個人情報に関連する文字情報を抽出する処理と、該抽出した文字情報により前記電話帳に登録されている電話帳データを検索して前記個人情報が登録されているか否かを判定する処理と、前記個人情報が登録されていると判定されたとき前記電話帳内の該当電話帳データと前記抽出した文字情報とを比較してその差分を識別可能に表示する処理と、前記個人情報が登録されていないと判定されたとき前記抽出した文字情報をそのまま表示する処理と、前記電話帳内の該当電話帳データと前記抽出した文字情報との差分が識別可能に表示しているときに前記電話帳への利用者による登録指示を受けたときに、前記個人情報が、前記電話帳データに登録されている場合には、前記差分識別表示された文字情報により前記電話帳に登録されている該当電話帳データを上書きする処理と、前記個人情報が、前記電話帳データに登録されていない場合には、前記抽出した文字情報をそのまま表示しているときに前記電話帳への登録指示を受けたとき前記抽出した文字情報を前記電話帳に新規登録する処理と、を含むことを特徴とする。
【００１１】
前記抽出した文字情報により前記電話帳に登録されている電話帳データを検索して前記個人情報が登録されているか否かを判定する処理は、例えば、前記電話帳に登録されている電話帳データ中の「氏名」項目と前記抽出された文字情報中の「氏名」項目を比較し、両者が一致しているときに一致判定を出力する第１の比較判定処理と、該第１の比較判定処理により一致判定された前記電話帳データ中の前記「氏名」項目以外の項目と前記抽出された文字情報中の前記「氏名」項目以外の項目を比較し、一致している項目が存在するときに前記抽出された文字情報は、前記電話帳データとして既登録の個人情報であると判定する第２の比較判定処理を含む構成で実現可能である。
【発明の効果】
【００１２】
本発明によれば、名刺や葉書を携帯電話機のカメラで撮影するだけで、電話帳に未登録の個人情報であれば、新規に追加登録し、電話帳に登録済みの個人情報であれば、変更があったデータのみを既登録個人情報に追加して更新することが可能となるため、電話帳に別途新規に登録をすることがなくなるので、電話帳の管理、検索が容易となる。
【００１３】
また、電話帳のデータ項目に該当する情報を個々に撮影することなく、撮影した画像データから一括でデータの抽出と、抽出したデータをもとに電話帳データの更新を行うことが可能であるため、カメラの起動回数が最小限となり、携帯端末装置の消費電力を抑える効果が得られる。
【発明を実施するための最良の形態】
【００１４】
図１は、本発明に係わる携帯端末装置としての携帯電話機の実施形態を示す回路構成の要部ブロック図である。
【００１５】
本実施例の携帯電話機１はＣＰＵ（中央処理装置）２を搭載しており、ＣＰＵ２はバス３を介して装置内の各部と接続されている。このうちＲＯＭ４はＣＰＵ２が実行するための各種の制御用プログラムに加えて本発明の電話帳登録のためのプログラムを格納し、また各種表示データなどの固定的データを格納しているリード・オンリ・メモリである。ＲＡＭ５はＣＰＵ２がプログラムを実行する上で一時的に必要とされるデータを格納しているランダム・アクセス・メモリによって構成されている。本発明との関連では主にカメラにて撮影した画像データ・電話帳データが格納される。
【００１６】
入力部６は決定（シャッター）キー１７や上下左右キー８などを含む各種キーからのキー入力を検知する回路である。また、無線電波の送受信を行う無線部９と、それらの音声処理などの通信制御や、メモリ管理などを行う制御部１０と、前述の制御部１０に制御され、カメラファインダーや、前述のＲＡＭ５に格納されたデータを表示するＬＣＤ１１、スピーカ／マイク１２と、カメラモジュール１３等を備えている。
【００１７】
図２は、本実施形態のソフトウェア構成を示すブロック図である。
【００１８】
本発明に関わる携帯電話機のソフトウェアは、携帯電話機利用者の所有する個人情報を管理する電話帳機能２１、撮影した画像から、名刺や葉書の宛名等を認識する認識エンジ２２、認識エンジン２２を制御する認識エンジン制御部２３、認識エンジン２２と認識エンジン制御部２３との間のデータを制御する認識エンジンインタフェース（Ｉ／Ｆ）２４、認識エンジン２２および、本発明の携帯電話機のカメラ機能を制御する画像認識制御部２５、本発明のカメラモジュール１３を制御するカメラ制御部２６、カメラ制御部２６と画像認識制御部２５との間で撮影画像などのデータを制御するカメラインタフェース（Ｉ／Ｆ）２７、認識エンジン２２にて認識された結果と電話帳機能２１の所有する個人情報から特定人物の情報の抽出および、データ項目の差分を抽出する差分抽出部２８で構成される。
【００１９】
画像認識制御部２５は、電話帳機能２１もしくは、図示せぬカメラ機能より起動される。電話帳機能から起動されるとカメラＩ／Ｆ２７より起動情報をカメラ制御部２６に渡し、カメラモジュール１３を起動する。図示せぬカメラ機能より起動された場合は、この処理は省略される。
【００２０】
次にカメラモジュール１３にて撮影された撮影画像のデータは、カメラ制御部２６、カメラＩ／Ｆ２７を経て画像認識制御部２５に渡される。画像認識制御部２５では、カメラモジュール１３で撮影された画像をもとに認識エンジン制御部２３を起動し、認識エンジン制御部２３は、認識エンジンＩ／Ｆ２４を経て、認識エンジン２２を起動する。カメラモジュール１３で撮影した画像データは、認識エンジンＩ／Ｆ２４を経て認識エンジン２２に渡される。
【００２１】
認識エンジン２２では、カメラモジュール１３で撮影された画像より、名刺／葉書の宛名の認識と、名刺／葉書の宛名に記載されている氏名、郵便番号、住所、電話番号、ＦＡＸ番号、携帯の電話番号、会社名、ＵＲＬ、メールアドレス等の認識および、文字列への変換を行う。認識エンジン２２にて文字列に変換された結果（以下、認識結果と言う）は、認識エンジンＩ／Ｆ２４を経て、認識エンジン制御部２３に渡される。
【００２２】
認識エンジン制御部２３では、認識エンジン２２の認識結果を画像認識制御部２５に通知する。画像認識制御部２５は、認識エンジン制御部２３から通知された認識結果を差分抽出処理部２８に渡し、差分抽出処理部２８では、認識結果が電話帳２１に既登録か、未登録かの確認と、電話帳に既に登録されているデータの場合は、その差分部分の抽出を行う。
【００２３】
図３〜図８は、本実施形態のソフトウェア構成における動作を示すフローチャートであり、図９は、本実施形態における差分情報抽出動作の例を示す説明図である。以下、本実施形態の動作について、図１〜図９を参照して説明する。
【００２４】
図３は、本実施形態で使用されている、カメラ撮影から電話帳更新に至る全体の処理を表しており、まず、携帯電話１の使用者により、カメラモジュール１３による名刺等のカメラ撮影が行われる（ステップ１）と、認識エンジン２２により撮影画像データから、氏名、郵便番号、住所、電話番号、ＦＡＸ番号、携帯電話番号、会社名、ＵＲＬ、メールアドレス等の項目情報が抽出される（ステップ２）。
【００２５】
次に、画像認識制御部２５は差分抽出処理部２８を起動して、携帯電話機内の電話帳２１に登録されている電話帳データを１件ずつ読み出して、ステップ２で抽出した項目情報と少なくとも一部重複する項目を含む電話帳データ（重複データ）が存在するか検索を行う（ステップ３）。ステップ３の詳細内容については図４〜図８にて別途説明する。
【００２６】
ステップ３で検索処理を行った結果、電話帳２１に登録済みの重複データがある場合、更にこの重複データ内での詳細データ項目を比較して差分をチェックし、差分がある場合は差分表示処理を行い、その後利用者の指示があれば上書き登録（ステップ４）を行う。差分がない場合には登録済みの同一人であるので、次の電話帳データを読み出して同様の処理を繰り返す。ステップ３において、電話帳２１の中に重複データが存在しない場合は、新規の個人情報であるので全データをそのまま表示し、その後利用者の指示があれば電話帳登録を行い（ステップ４）、処理終了となる。
【００２７】
次に図３における電話帳検索および、差分表示処理（ステップ３）の詳細について説明する。
【００２８】
まず図４に示すように、ステップ１１で電話帳２１から読み出した１件目の「氏名」情報と図３のステップ２で取得した「氏名」情報を照会する。ステップ１２で電話帳データの全てを検索したかチェックを行う。従って電話帳２１に何も登録されていない場合は１件目の「氏名」情報も読み出されないので、ステップ１３以降の氏名重複チェックは省略され、ステップ１７から新規電話帳登録処理（ステップ１９）へそのまま移行する。電話帳データの全てを検索していない（電話帳に重複チェックをしていない「氏名」情報が存在する）場合は、電話帳２１から読み出した１件目の「氏名」情報と等しい(重複)かをチェックする（ステップ１３）。
【００２９】
電話帳２１から読み出された電話帳データの「氏名」情報が撮影画像から抽出した「氏名」情報と重複していなければ、電話帳２１から次の「氏名」情報を読み出して（ステップ１４）、ステップ１２以降を繰り返す。電話帳２１から読み出された「氏名」情報と撮影画像から抽出した「氏名」情報が重複していれば、重複（同姓同名）を電話帳データにマークし（ステップ１５）、同一名の電話帳情報の件数を＋１カウント（ステップ１６）した後、電話帳２１から次の「氏名」情報を読み出して（ステップ１４）、ステップ１２以降を繰り返す。
【００３０】
電話帳データを全て検索済（ステップ１２、Ｙｅｓ）の場合、ステップ１７へ移行し、ステップ１６におけるカウント値を参照して、電話帳内で重複データの件数が０かをチェックする。重複データが存在しなければ（重複データの件数が０）、カメラから取得した画像データより抽出した個人情報データは未登録であるので、新規電話帳データとして登録を行う処理に移行する（ステップ１９）。重複データが存在する場合は、ステップ１８で更に電話帳２１内での差分データ抽出や絞込み検索等の重複データ処理（詳細については図５にて説明する）を行う。
【００３１】
図４における重複データ処理（ステップ１８）では、図５に示すように、重複データの中に画像認識データと同一人の電話帳データが含まれているか否かの重複データ絞込み処理（詳細については図６にて説明する）を行い、重複データを明確化する（ステップ２１）。重複データの中に画像認識データと同一人の電話帳データが含まれている場合には、ステップ２２にて差分情報抽出処理（詳細については図７にて説明する）を行う。
【００３２】
その後ステップ２３ではステップ２２にて抽出した差分情報部分を色づけして表示を行い、ステップ２４にて利用者からの更新指示があったか判断を行う。ステップ２４にて利用者からの更新指示があると判断された場合は差分情報のみを登録済の電話帳に上書き登録し（ステップ２５）、そうでない場合は更新せずに処理を終了する。またステップ２１の重複データ絞込み処理の結果、重複データの中に画像認識データと同一人の電話帳データが含まれていない場合には、画像認識データをそのまま全て表示し（ステップ２６）、ステップ２７にて利用者からの新規登録指示があると判断された場合は電話帳２１に登録し（ステップ２８）、そうでない場合は登録せずに処理を終了する。
【００３３】
次に図５における重複データ絞込み処理（ステップ２１）は、図６に示すように、ステップ３１では、「情報１」として「撮影画像から抽出した個人情報の詳細データ項目」（図９（ｂ）参照）を読み出し、ステップ３２では、「情報２」として、ステップ１５でマークがつけられた電話帳重複データの中から、まず１件目の電話帳重複データについて、「電話帳に登録されている個人情報の詳細データ項目」（図９（ａ）参照）を読み出す。ステップ３３にてそれら「情報１」と「情報２」の中で氏名情報（図９では詳細項目１，２）以外の項目に、等しい情報項目があるか否かのチェック（詳細については図８にて説明する）を行う。
【００３４】
ステップ３３にて「情報１」と「情報２」の中で氏名情報以外に等しい情報項目があれば、「情報１」と「情報２」は同一人のデータであると判断し、ステップ３７にて、現在の電話帳データを更新データとして設定して図５のステップ２２以降の処理に移行する。ステップ３３にて「情報１」と「情報２」の中に氏名情報以外に等しい情報項目がなければ、次にステップ３４にて前記マークがつけられた同一名を持つ電話帳データ全ての検索が終了したかを重複データ数カウント値によりチェックする。終了していない場合は、「情報２」として次の重複データとなる電話帳の個人情報の詳細データ項目を読み出して（ステップ３６）、ステップ３３以降を繰り返す。ステップ３４にて同一名を持つ電話帳全ての検索が終了していれば、今回撮影画像から抽出した情報は同じ氏名の別人と判断され、画像認識結果データを新規登録データとして設定し（ステップ３５）、図５のステップ２６以降の処理に移行する。
【００３５】
次に図５における差分情報抽出の処理（ステップ２２）は図７に示すように、まず、図９（ｂ）に示す「撮影画像から抽出した個人情報」の詳細データ項目の２項目目を読み出し（ステップ４１）、ステップ４２では「情報２」として図９（ａ）に示す「電話帳に登録されている個人情報」の詳細データ項目の２項目目を読み出す。ステップ４３にてそれら「情報１」と「情報２」の２項目目が等しい情報項目であるかのチェックを行う。ステップ４２で読み出し対象となる「電話帳に登録されている個人情報」は「撮影画像から抽出した個人情報」の重複データであり、それぞれの情報の項目１は等しいので、本処理におけるチェック対象からは除外している。なお、項目２も除外してもよい。
【００３６】
ステップ４３にて差分があれば（「情報１」と「情報２」が等しくなければ）、ステップ４４にて情報１の内容を図９（ｃ）に示す差分情報テーブルに設定する。差分情報テーブルに登録される情報は、差分テーブル上のステップ４３にて確認したデータ項目と同じデータ項目の位置に設定する。ステップ４３にて差分がなければ、「撮影画像から抽出した個人情報」の詳細データ項目の３項目目を読み出し（ステップ４５）、ステップ４６では「情報２」として「電話帳に登録されている個人情報の詳細データ項目の３項目目（ステップ４６）」を読み出す。
【００３７】
「情報１」および、「情報２」にデータ項目の設定が完了すると、ステップ４７にて未確認の項目があるかをチェックする。未確認項目がある場合はステップ４３に戻り差分チェックを行う。未確認項目がない場合は処理を終了する。項目の確認は、図９に示す電話帳の詳細データ項目の項目１〜１１、画像認識エンジンの確認結果の項目の１〜１１に対し、２番目の項目から電話帳の詳細データ項目の最後の項目（図９では詳細項目の１１が該当）まで確認を行う。
【００３８】
次に図６における「情報１」と「情報２」の項目チェック処理（ステップ３３）は、図８に示すように、図７の差分情報抽出と同様、まずステップ５１で、図９（ｂ）に示す「撮影画像から抽出した個人情報」の詳細データ項目の３項目目を読み出し、ステップ５２では「情報２」として図９（ａ）に示す「電話帳に登録されている個人情報」の詳細データ項目の３項目目を読み出す。ステップ３にてそれら「情報１」と「情報２」の３項目目が等しい情報項目であるかのチェックを行う。
【００３９】
ステップ５３にて差分がなければ（「情報１」と「情報２」が等しければ）、ステップ５４にて図８の処理の戻り値としての値、すなわち、等しいデータ項目ありを設定し、処理を終了する。ステップ５３にて差分があれば、「撮影画像から抽出した個人情報」の詳細データ項目の４項目目を読み出し（ステップ５５）、「情報２」として「電話帳に登録されている個人情報の詳細データ項目の４項目目（ステップ５６）」を読み出す。
【００４０】
情報１および、情報２にデータ項目の設定が完了すると、ステップ５７にて未確認の項目があるかをチェックする。未確認項目がある場合はステップ５３に戻り差分チェックを行う。全ての項目を確認し、電話帳の詳細データ項目と画像認識エンジンの確認結果について、３〜１１項目で一致する（等しい）項目が１つもない場合、返却値に等しい項目なしを設定し（ステップ５８）、処理を終了する。
【００４１】
項目の確認は、図９に示す電話帳の詳細データ項目の項目１〜１１、画像認識エンジンの確認結果の項目の１〜１１に対し、３番目の項目から順番で行い、電話帳の詳細データ項目の最後の項目（図９では詳細項目の１１が該当）まで確認を行う。ステップ５２で読み出し対象となる「電話帳に登録されている個人情報」は「撮影画像から抽出した個人情報」の重複データであり、それぞれの情報の項目１（氏名）は等しく、また項目２（読みかな）も等しいと考えられるので、本項目チェック処理におけるチェック対象からは除外する。
【００４２】
以上の説明では、携帯電話機でカメラ撮影をする場合について説明したが、ＰＨＳ等の他の携帯端末装置でカメラモジュールを搭載し、かつ、名刺などの個人情報を管理する機能を有しているものであれば、本発明を使用することができる。
【図面の簡単な説明】
【００４３】
【図１】本発明の実施形態を示す携帯端末装置としての携帯電話機の要部ブロック図である。
【図２】本実施形態のソフトウェア構成を示すブロック図である。
【図３】本実施形態における動作を示すフローチャートである。
【図４】本実施形態における動作を示すフローチャートである。
【図５】本実施形態における動作を示すフローチャートである。
【図６】本実施形態における動作を示すフローチャートである。
【図７】本実施形態における動作を示すフローチャートである。
【図８】本実施形態における動作を示すフローチャートである。
【図９】本実施形態における差分情報抽出動作の例を示す説明図である。
【符号の説明】
【００４４】
１  携帯電話機
２  ＣＰＵ
３  バス
４  ＲＯＭ
５  ＲＡＭ
６  入力部
７  決定キー
８  上下左右キー
９  無線部
１０  制御部
１１  ＬＣＤ
１２  スピーカ／マイク
１３  カメラモジュール
２１  電話帳
２２  認識エンジン
２３  認識エンジン制御部
２４  認識エンジンＩ／Ｆ
２５  画像認識制御部
２６  カメラ制御部
２７  カメラＩ／Ｆ
２８  差分抽出処理部
【図１】
0004600341.tif 000002
【図２】
0004600341.tif 000003
【図３】
0004600341.tif 000004
【図４】
0004600341.tif 000005
【図５】
0004600341.tif 000006
【図６】
0004600341.tif 000007
【図７】
0004600341.tif 000008
【図８】
0004600341.tif 000009
【図９】
0004600341.tif 000010